(57)【要約】【課題】  電源による電力の供給状態が非給電状態から給電状態に切換えられたときに高速起動が実現可能であり、かつ、セキュリティの確保が可能な表示システムおよび表示方法を提供する。【解決手段】  制御装置（２）の制御部（２１）は、電力の給電状態から第１非給電状態に切換える指示がタッチパネル（１３）に入力されると、表示部（１１）に表示されている編集画像を第２記憶部（２２２）に記憶させた後、起動中の画像表示用プログラムを終了させる。また、制御部（２１）は、電力の給電状態から第２非給電状態に切換える指示がタッチパネル（１３）に入力されると、表示部（１１）に表示されている編集画像を第２記憶部（２２２）に記憶させることなく、起動中の画像表示用プログラムを終了させる。【選択図】      図１
2015201120.tif 000002
【特許請求の範囲】
【請求項１】
電源部と、
画像表示用プログラムを記憶する不揮発性の第１記憶部と、
前記電源部と接続され、該電源部から電力が供給される表示部と、
前記第１記憶部に記憶された前記画像表示用プログラムを起動し、該画像表示用プログラムに基づいた基準画像を前記表示部に表示させる第１表示制御部と、
前記表示部に表示された前記基準画像に施すべき編集内容が入力される画像編集内容入力部と、
前記画像編集内容入力部に入力された編集内容に基づいて、前記基準画像を編集し、編集された編集画像を前記表示部に表示させる第２表示制御部と、
前記表示部に表示された前記編集画像を記憶可能な第２記憶部と、
前記電源部から前記表示部への電力の供給状態を、給電状態から、第１非給電状態または第２非給電状態に切換える指示が入力される第１切換指示入力部と、
前記電源部から前記表示部への電力の供給状態を制御する制御部であって、
前記給電状態から前記第１非給電状態に切換える指示が前記第１切換指示入力部に入力されると、前記表示部に表示されている前記編集画像を前記第２記憶部に記憶させた後、起動中の前記画像表示用プログラムを終了させて、前記表示部への電力の供給状態を前記第１非給電状態に切換え、
前記給電状態から前記第２非給電状態に切換える指示が前記第１切換指示入力部に入力されると、前記表示部に表示されている前記編集画像を前記第２記憶部に記憶させることなく、起動中の前記画像表示用プログラムを終了させて、前記表示部への電力の供給状態を前記第２非給電状態に切換える制御部と、を含むことを特徴とする表示システム。
【請求項２】
前記電源部から前記表示部への電力の供給状態を、前記第１非給電状態または前記第２非給電状態から、給電状態に切換える指示が入力される第２切換指示入力部をさらに含み、
前記制御部は、
前記第１非給電状態から前記給電状態に切換える指示が前記第２切換指示入力部に入力されると、前記表示部への電力の供給状態を給電状態に切換えて、前記第１表示制御部に前記画像表示用プログラムを起動させた後、前記第２記憶部に記憶されている前記編集画像を前記表示部に表示させ、
前記第２非給電状態から前記給電状態に切換える指示が前記第２切換指示入力部に入力されると、前記表示部への電力の供給状態を給電状態に切換えて、前記第１表示制御部に前記画像表示用プログラムを起動させて前記基準画像を前記表示部に表示させることを特徴とする請求項１に記載の表示システム。
【請求項３】
前記第２記憶部は、不揮発性のハードディスクドライブであることを特徴とする請求項１または２に記載の表示システム。
【請求項４】
画像表示用プログラムを記憶する第１記憶工程と、
前記電源部と接続され、該電源部から電力が供給される表示部と、
前記第１記憶部に記憶された前記画像表示用プログラムを起動し、該画像表示用プログラムに基づいた基準画像を前記表示部に表示させる第１表示制御部と、
前記表示部に表示された前記基準画像に施すべき編集内容が入力される画像編集内容入力部と、
前記画像編集内容入力部に入力された編集内容に基づいて、前記基準画像を編集し、編集された編集画像を前記表示部に表示させる第２表示制御部と、
前記表示部に表示された前記編集画像を記憶可能な第２記憶部と、
前記電源部から前記表示部への電力の供給状態を、給電状態から、第１非給電状態または第２非給電状態に切換える指示が入力される第１切換指示入力部と、
前記電源部から前記表示部への電力の供給状態を制御する制御部であって、
前記給電状態から前記第１非給電状態に切換える指示が前記第１切換指示入力部に入力されると、前記表示部に表示されている前記編集画像を前記第２記憶部に記憶させた後、起動中の前記画像表示用プログラムを終了させて、前記表示部への電力の供給状態を前記第１非給電状態に切換え、
前記給電状態から前記第２非給電状態に切換える指示が前記第１切換指示入力部に入力されると、前記表示部に表示されている前記編集画像を前記第２記憶部に記憶させることなく、起動中の前記画像表示用プログラムを終了させて、前記表示部への電力の供給状態を前記第２非給電状態に切換える制御部と、を含むことを特徴とする表示システム。
【請求項５】
第１記憶部に予め記憶された画像表示用プログラムを起動し、該画像表示用プログラムに基づいた基準画像を、電源部から電力が供給された表示部に表示させる第１表示制御工程と、
前記表示部に表示された前記基準画像に施すべき編集内容が入力される画像編集内容入力工程と、
前記画像編集内容入力工程で入力された編集内容に基づいて、前記基準画像を編集し、編集された編集画像を前記表示部に表示させる第２表示制御工程と、
前記電源部から前記表示部への電力の供給状態を、給電状態から、第１非給電状態または第２非給電状態に切換える指示が入力される第１切換指示入力工程と、
前記電源部から前記表示部への電力の供給状態を制御する制御工程であって、
前記給電状態から前記第１非給電状態に切換える指示が前記第１切換指示入力工程で入力されると、前記表示部に表示されている前記編集画像を第２記憶部に記憶させた後、起動中の前記画像表示用プログラムを終了させて、前記表示部への電力の供給状態を前記第１非給電状態に切換え、
前記給電状態から前記第２非給電状態に切換える指示が前記第１切換指示入力工程で入力されると、前記表示部に表示されている前記編集画像を前記第２記憶部に記憶させることなく、起動中の前記画像表示用プログラムを終了させて、前記表示部への電力の供給状態を前記第２非給電状態に切換える制御工程と、を含むことを特徴とする表示方法。
【発明の詳細な説明】
【技術分野】
【０００１】
本発明は、スリープ機能を有する表示システムおよび表示方法に関する。
【背景技術】
【０００２】
会議やビジネスプレゼンテーション、教育、研修などにおいて複数人の視聴者を対象に各種の情報を提示するための情報機器として、電子ホワイトボードまたは電子黒板に代表される、大型の表示ディスプレイを備える表示システムが用いられる。
【０００３】
たとえば特許文献１には、コンピュータとキーボードとディスプレイとから成る表示システムにおいて、キーボードとディスプレイとを接続する第一の接続手段と、ディスプレイとコンピュータとを接続する第二の接続手段とを備える表示システムが開示されている。この特許文献１に開示される表示システムは、電源スイッチの押下に応答して、第二の接続手段を用いてコンピュータに起動指示キーまたは遮断指示キーと同一のコードを送付するように構成されている。このように構成される特許文献１に開示される表示システムでは、操作者の一操作でコンピュータおよびディスプレイの各電源を連動させることが可能である。
【０００４】
しかしながら、特許文献１に開示される表示システムは、電源を遮断（ＯＦＦ）してシステムを終了させた後、コンピュータおよびディスプレイに電源から電力を供給して給電状態にしてシステムを起動させるとき、起動時間が長くなるという問題がある。
【０００５】
このような問題点を解決する方法として、スリープモード（サスペンドモード）に設定する方法が提案されている。通常モードからスリープモードに移行させる場合には、表示システムにおいて起動中のオペレーティングシステム（ＯＳ：Operating System）プログラム、各種アプリケーションプログラムおよび作業データを、ＲＡＭ（Random Access Memory）やＨＤＤ（Hard Disk Drive）に保存した後、電源を完全に遮断することなく、電源による電力の供給状態を給電状態から非給電状態に切換える。
【０００６】
上記のようにしてスリープモードに移行された表示システムにおいて、電源による電力の供給状態が非給電状態から給電状態に切換えられると、スリープモードに移行される直前の通常モード設定時に起動されていた、ＯＳプログラム、各種アプリケーションプログラムおよび作業データが、ＲＡＭやＨＤＤから読み出されてシステムが起動されることで、スリープモードから復帰されるので、高速起動を実現することができる。
【先行技術文献】
【特許文献】
【０００７】
【特許文献１】特開２００９−９８７５３号公報
【発明の概要】
【発明が解決しようとする課題】
【０００８】
上記の従来技術では、電源による電力の供給状態を給電状態から非給電状態に切換えるときに、スリープモードに移行させることによって、次回のシステム起動を高速起動させることができるけれども、システム起動時には、スリープモードに移行される直前の作業データなどもＲＡＭやＨＤＤから読み出されることになり、この読み出された作業データに基づく画像が表示ディスプレイに表示されることになる。
【０００９】
このように、スリープモードに移行される直前の作業データに基づく画像が表示ディスプレイに表示されると、スリープモードに移行される直前の表示システムの利用者にとっての情報が、スリープモード復帰後の表示システムの利用者に知られてしまい、セキュリティ上の課題がある。
【００１０】
本発明の目的は、電源による電力の供給状態が非給電状態から給電状態に切換えられたときに高速起動が実現可能であり、かつ、セキュリティの確保が可能な表示システムおよび表示方法を提供することである。
【課題を解決するための手段】
【００１１】
本発明は、電源部と、
画像表示用プログラムを記憶する不揮発性の第１記憶部と、
前記電源部と接続され、該電源部から電力が供給される表示部と、
前記第１記憶部に記憶された前記画像表示用プログラムを起動し、該画像表示用プログラムに基づいた基準画像を前記表示部に表示させる第１表示制御部と、
前記表示部に表示された前記基準画像に施すべき編集内容が入力される画像編集内容入力部と、
前記画像編集内容入力部に入力された編集内容に基づいて、前記基準画像を編集し、編集された編集画像を前記表示部に表示させる第２表示制御部と、
前記表示部に表示された前記編集画像を記憶可能な第２記憶部と、
前記電源部から前記表示部への電力の供給状態を、給電状態から、第１非給電状態または第２非給電状態に切換える指示が入力される第１切換指示入力部と、
前記電源部から前記表示部への電力の供給状態を制御する制御部であって、
前記給電状態から前記第１非給電状態に切換える指示が前記第１切換指示入力部に入力されると、前記表示部に表示されている前記編集画像を前記第２記憶部に記憶させた後、起動中の前記画像表示用プログラムを終了させて、前記表示部への電力の供給状態を前記第１非給電状態に切換え、
前記給電状態から前記第２非給電状態に切換える指示が前記第１切換指示入力部に入力されると、前記表示部に表示されている前記編集画像を前記第２記憶部に記憶させることなく、起動中の前記画像表示用プログラムを終了させて、前記表示部への電力の供給状態を前記第２非給電状態に切換える制御部と、を含むことを特徴とする表示システムである。
【００１２】
また本発明の表示システムは、前記電源部から前記表示部への電力の供給状態を、前記第１非給電状態または前記第２非給電状態から、給電状態に切換える指示が入力される第２切換指示入力部をさらに含み、
前記制御部は、
前記第１非給電状態から前記給電状態に切換える指示が前記第２切換指示入力部に入力されると、前記表示部への電力の供給状態を給電状態に切換えて、前記第１表示制御部に前記画像表示用プログラムを起動させた後、前記第２記憶部に記憶されている前記編集画像を前記表示部に表示させ、
前記第２非給電状態から前記給電状態に切換える指示が前記第２切換指示入力部に入力されると、前記表示部への電力の供給状態を給電状態に切換えて、前記第１表示制御部に前記画像表示用プログラムを起動させて前記基準画像を前記表示部に表示させることを特徴とする。
【００１３】
また本発明の表示システムにおいて、前記第２記憶部は、不揮発性のハードディスクドライブであることを特徴とする。
【００１４】
また本発明は、第１記憶部に予め記憶された画像表示用プログラムを起動し、該画像表示用プログラムに基づいた基準画像を、電源部から電力が供給された表示部に表示させる第１表示制御工程と、
前記表示部に表示された前記基準画像に施すべき編集内容が入力される画像編集内容入力工程と、
前記画像編集内容入力工程で入力された編集内容に基づいて、前記基準画像を編集し、編集された編集画像を前記表示部に表示させる第２表示制御工程と、
前記電源部から前記表示部への電力の供給状態を、給電状態から、第１非給電状態または第２非給電状態に切換える指示が入力される第１切換指示入力工程と、
前記電源部から前記表示部への電力の供給状態を制御する制御工程であって、
前記給電状態から前記第１非給電状態に切換える指示が前記第１切換指示入力工程で入力されると、前記表示部に表示されている前記編集画像を第２記憶部に記憶させた後、起動中の前記画像表示用プログラムを終了させて、前記表示部への電力の供給状態を前記第１非給電状態に切換え、
前記給電状態から前記第２非給電状態に切換える指示が前記第１切換指示入力工程で入力されると、前記表示部に表示されている前記編集画像を前記第２記憶部に記憶させることなく、起動中の前記画像表示用プログラムを終了させて、前記表示部への電力の供給状態を前記第２非給電状態に切換える制御工程と、を含むことを特徴とする表示方法である。
【発明の効果】
【００１５】
本発明によれば、電源部による表示部への電力の供給状態を制御部が制御する。この制御部は、電源部による表示部への電力の供給状態を、給電状態から第１非給電状態に切換える指示が第１切換指示入力部に入力されると、表示部に表示されている編集画像を第２記憶部に記憶させた後、起動中の画像表示用プログラムを終了させて、表示部への電力の供給状態を第１非給電状態に切換える。また、制御部は、電源部による表示部への電力の供給状態を、給電状態から第２非給電状態に切換える指示が第１切換指示入力部に入力されると、表示部に表示されている編集画像を第２記憶部に記憶させることなく、起動中の画像表示用プログラムを終了させて、表示部への電力の供給状態を第２非給電状態に切換える。
【００１６】
上記のように構成される本発明に係る表示システムでは、操作者は、電源部による表示部への電力の供給状態を給電状態から非給電状態に切換えるときに、第１非給電状態および第２非給電状態の２つの非給電状態を選択することができる。表示システムでは、操作者によって第１非給電状態に切換える指示が入力されたときに、制御部が、編集画像を第２記憶部に記憶させた後に画像表示用プログラムを終了させるので、たとえば、表示システムを用いた会議を一時中断するときなどに便利である。すなわち、表示システムを用いた会議を再開するときには、第２記憶部に記憶されている編集画像を読み出して表示部に表示させることができるので、再開後の会議をスムーズに進行することができる。
【００１７】
また、表示システムでは、操作者によって第２非給電状態に切換える指示が入力されたときに、制御部が、編集画像を第２記憶部に記憶させることなく、画像表示用プログラムを終了させるので、たとえば、表示システムを用いた会議を終了するときなどに便利である。すなわち、表示システムを用いた会議の終了後に、他の操作者が表示システムを起動させた場合であっても、第２記憶部には編集画像が記憶されていないので、前回会議において表示部に表示されていた編集画像が、他の操作者によるシステム起動時の表示部に表示されることを防止することができる。これによって、編集画像に基づく情報を他の操作者に知られることを防止することができ、セキュリティの確保が可能となる。
【００１８】
また本発明によれば、制御工程では、電源部による表示部への電力の供給状態を制御する。この制御工程では、電源部による表示部への電力の供給状態を、給電状態から第１非給電状態に切換える指示が第１切換指示入力工程で入力されると、表示部に表示されている編集画像を第２記憶部に記憶させた後、起動中の画像表示用プログラムを終了させて、表示部への電力の供給状態を第１非給電状態に切換える。また、制御工程では、電源部による表示部への電力の供給状態を、給電状態から第２非給電状態に切換える指示が第１切換指示入力工程で入力されると、表示部に表示されている編集画像を第２記憶部に記憶させることなく、起動中の画像表示用プログラムを終了させて、表示部への電力の供給状態を第２非給電状態に切換える。
【００１９】
上記のように構成される本発明に係る表示方法では、操作者は、電源部による表示部への電力の供給状態を給電状態から非給電状態に切換えるときに、第１非給電状態および第２非給電状態の２つの非給電状態を選択することができる。表示方法では、第１切換指示入力工程において操作者によって第１非給電状態に切換える指示が入力されたときに、制御工程で、編集画像を第２記憶部に記憶させた後に画像表示用プログラムを終了させるので、たとえば、表示方法を利用した会議を一時中断するときなどに便利である。すなわち、表示方法を利用した会議を再開するときには、第２記憶部に記憶されている編集画像を読み出して表示部に表示させることができるので、再開後の会議をスムーズに進行することができる。
【００２０】
また、表示方法では、第１切換指示入力工程において操作者によって第２非給電状態に切換える指示が入力されたときに、制御工程で、編集画像を第２記憶部に記憶させることなく、画像表示用プログラムを終了させるので、たとえば、表示方法を利用した会議を終了するときなどに便利である。すなわち、表示方法を利用した会議の終了後に、他の操作者が表示方法を利用した場合であっても、第２記憶部には編集画像が記憶されていないので、前回会議において表示部に表示されていた編集画像が、他の操作者による表示方法の利用時に、表示部に表示されることを防止することができる。これによって、編集画像に基づく情報を他の操作者に知られることを防止することができ、セキュリティの確保が可能となる。
【図面の簡単な説明】
【００２１】
【図１】本発明の一実施形態に係る表示システム１００の構成を示すブロック図である。
【図２】タッチパネル１３の構成を概略的に示す図である。
【図３】表示部１１の表示面１１ａに表示される基準画像の一例を示す図である。
【図４Ａ】本発明の一実施形態に係る表示方法が適用された表示システム１００の動作を示すフローチャートである。
【図４Ｂ】本発明の一実施形態に係る表示方法が適用された表示システム１００の動作を示すフローチャートである。
【図４Ｃ】本発明の一実施形態に係る表示方法が適用された表示システム１００の動作を示すフローチャートである。
【図４Ｄ】本発明の一実施形態に係る表示方法が適用された表示システム１００の動作を示すフローチャートである。
【図５】表示部１１の表示面１１ａに表示される非給電状態切換指示アイコンの一例を示す図である。
【図６】電源部１４による電力の供給状態が第１非給電状態に切換えられてスリープモードへ移行された後に、給電状態に切換えられた場合における、表示部１１の表示面１１ａに表示される画像の一例を示す図である。
【発明を実施するための形態】
【００２２】
（第１実施形態）
図１は、本発明の一実施形態に係る表示システム１００の構成を示すブロック図である。図２は、タッチパネル１３の構成を概略的に示す図である。図３は、表示部１１の表示面１１ａに表示される基準画像の一例を示す図である。表示システム１００は、会議やビジネスプレゼンテーション、教育、研修などにおいて複数人の視聴者を対象に各種の情報を提示するための情報機器として用いることができる。表示システム１００は、表示装置１と、制御装置２と、入力装置３とを含んで構成される。
【００２３】
表示装置１は、表示部１１と、表示処理部１２と、画像編集内容入力部および第１切換指示入力部として機能するタッチパネル１３と、電源部１４と、第１表示制御部および第２表示制御部として機能する表示制御部１５と、表示側記憶部１６と、表示側インターフェース部１７とを含む。
【００２４】
電源部１４は、電源１４１と、第２切換指示入力部として機能する電源ＳＷ（スィッチ）１４２とを含む。電源部１４は、操作者による電源ＳＷ１４２の操作に応じて、表示装置１を構成する各部に電源１４１から電力を供給する。なお、電源１４１は、外部電源であってもよいし、充電池（バッテリ）などから成る内部電源であってもよい。また、本実施形態では、表示装置１の電源部１４と制御装置２の電源部とは、電力の供給状態が連動するように構成されている。すなわち、表示装置１の電源部１４による電力の供給状態が給電状態である場合には、制御装置２の電源部による電力の供給状態も給電状態であり、表示装置１の電源部１４による電力の供給状態が非給電状態である場合には、制御装置２の電源部による電力の供給状態も非給電状態である。
【００２５】
表示制御部１５は、後述の制御装置２の制御部２１に制御されて、表示装置１を構成する各部の動作を統括的に制御する。表示制御部１５は、たとえば、中央演算処理装置（ＣＰＵ：Central Processing Unit）を備えるマイクロコンピュータ、マイクロプロセッサなどによって実現される処理回路である。
【００２６】
表示側記憶部１６は、表示制御部１５によって制御された表示装置１の各部が動作するときに生成される各種データ（たとえば、タッチパネル１３によって検出された操作者によるタッチ位置を示す位置データなど）を記憶する。以下では、表示制御部１５によって制御された表示装置１の各部が動作するときに生成される、前記位置データを含む各種データを、作業データと言う。
【００２７】
表示処理部１２は、制御部２１によって制御された表示制御部１５の指示に応じた画像を表示させるように表示部１１の動作を制御し、表示部１１の表示面１１ａに画像を表示させる。
【００２８】
表示部１１は、表示処理部１２からの指示に応じた画像を表示面１１ａに表示する。本実施形態では、表示部１１として、表示面１１ａが矩形状の６０インチサイズの液晶表示装置を用いている。なお、表示部１１は画像データに応じた画像を表示できるものであればよく、たとえば、プラズマディスプレイ、有機ＥＬ（エレクトロルミネセンス）ディスプレイ、ＣＲＴなどを用いてもよい。また、表示部１１のサイズについても特に限定されるものではない。
【００２９】
タッチパネル１３は、発光部１３１、受光部１３２、発光処理部１３３、受光処理部１３４、およびＡ／Ｄ変換部（Ａ／Ｄコンバータ）１３５を含む。タッチパネル１３は、表示制御部１５の指示に応じて操作者によるタッチ操作を検出する処理を行うとともに、その検出結果を表示制御部１５に伝達する。
【００３０】
発光部１３１は、赤外光を照射する複数の発光素子１３１ａ，１３１ｂから成り、受光部１３２は、各発光素子１３１ａ，１３１ｂから照射された赤外光を受光する複数の受光素子１３２ａ，１３２ｂから成る。なお、発光素子１３１ａ，１３１ｂとしては、たとえば赤外光を発光する発光ダイオード（ＬＥＤ）などを用いることができる。
【００３１】
具体的には、図２に示すように、矩形状の表示面１１ａの周縁部を取り囲む表示部１１の枠部の長辺のうちの１辺に複数の発光素子１３１ａが所定ピッチで配置され、当該長辺に対向するもう一方の長辺に各発光素子１３１ａから出射される赤外光を受光する複数の受光素子１３２ａが所定ピッチで配置されている。また、前記枠部の短辺のうちの１辺に複数の発光素子１３１ｂが所定ピッチで配置され、当該短辺に対向するもう一方の短辺に各発光素子１３１ｂから出射される赤外光を受光する複数の受光素子１３２ｂが所定ピ
ッチで配置されている。
【００３２】
また、発光部１３１（各発光素子１３１ａ，１３１ｂ）は、発光処理部１３３に接続されており、受光部１３２（各受光素子１３２ａ，１３２ｂ）は、受光処理部１３４およびＡ／Ｄ変換部１３５に接続されている。
【００３３】
発光処理部１３３は、表示制御部１５からの指示に応じて、複数の発光素子１３１ａおよび複数の発光素子１３１ｂのいずれかを選択する信号を、発光部１３１へ出力する。すなわち、表示制御部１５が各発光素子１３１ａ，１３１ｂを順次発光させるための信号を発光処理部１３３へ出力すると、これに応じて、発光処理部１３３が各発光素子１３１ａ，１３１ｂを順次選択し、選択した発光素子１３１ａ，１３１ｂを順次発光させる。
【００３４】
受光処理部１３４は、表示制御部１５からの指示に応じて、赤外光の受光処理を行う受光素子１３２ａ，１３２ｂを選択する信号を受光部１３２へ出力する。すなわち、表示制御部１５は、各発光素子１３１ａ，１３１ｂを順次発光させるための信号を発光処理部１３３に出力するとともに、当該信号に同期した、発光させる発光素子１３１ａ，１３１ｂに対応する受光素子１３２ａ，１３２ｂに受光処理を行わせるための信号を、受光処理部１３４へ出力する。これにより、受光処理部１３４が、各受光素子１３２ａ，１３２ｂに受光処理を行わせる。各受光素子１３２ａ，１３２ｂは、受光処理部１３４によって選択されたときに、受光した赤外光の強度を電圧値で示す強度信号をＡ／Ｄ変換部１３５へ出力する。
【００３５】
Ａ／Ｄ変換部１３５は、各受光素子１３２ａ，１３２ｂから入力される強度信号をデジタル信号に変換して表示制御部１５に伝達する。
【００３６】
表示制御部１５は、各発光素子１３１ａ，１３１ｂを順次発光させるとともに、発光させた発光素子１３１ａ，１３１ｂに対応する受光素子１３２ａ，１３２ｂに受光処理を行わせる処理を繰り返すことにより、全ての受光素子１３２ａ，１３２ｂからの強度信号を取得する。
【００３７】
また、表示制御部１５は、各受光素子１３２ａ，１３２ｂから取得した強度信号から当該各受光素子１３２ａ，１３２ｂでの受光量を計算し、当該受光素子１３２ａ，１３２ｂによって受光する赤外光が発光素子１３１ａ，１３１ｂから受光素子１３２ａ，１３２ｂまでの光路において遮断されたか否かを判定する。すなわち、ある受光素子１３２ａ，１３２ｂでの受光量が予め定められる閾値を超過している場合、表示制御部１５は、当該受光素子１３２ａ，１３２ｂが受光する赤外光は遮断されていないと判定し、前記閾値以下である場合、表示制御部１５は当該受光素子１３２ａ，１３２ｂが受光する赤外光が遮断されていると判定する。このようにして、表示制御部１５は、受光する赤外光の光路が遮断されている受光素子１３２ａ，１３２ｂを特定する。
【００３８】
これによって、入力装置３あるいは入力装置３以外の物を表示部１１の表示面１１ａに接触させて表示面１１ａ上のいずれかの位置を指示している場合は、その接触位置に応じた位置を通る光路が遮断され、表示制御部１５は、特定した受光素子１３２ａ，１３２ｂの位置から入力装置３あるいは入力装置３以外の物で指示された表示面１１ａ上の位置を算出する。
【００３９】
なお、タッチパネル１３の構成はこれに限定されるものではなく、操作者による表示面１１ａへのタッチ操作を検出できる構成であればよい。たとえば、赤外線遮断方式に限らず、抵抗膜方式、表面型静電容量方式、投影型静電容量方式、超音波表面弾性波方式、音響パルス認識方式、振動検出方式、電磁誘導方式、画像認識方式、あるいは光センサ内蔵ＬＣＤ方式のタッチパネルを用いてもよい。また、たとえば、液晶表示パネル、プラズマディスプレイ、有機ＥＬパネルなどの表示パネルの表示面上に、操作者のタッチ操作を検出するためのタッチパネルを取り付けたオーバーレイ構造であってもよく、タッチパネルを表示パネルと一体化させた構造であってもよい。
【００４０】
入力装置データ受信部１８は、入力装置３のデータ送信部３２から送信される入力装置データを受信する。
【００４１】
表示側インターフェース部１７は、表示装置１に対して通信可能に接続された制御装置２との間で通信を行うためのものである。表示装置１と制御装置２との接続方法は特に限定されるものではなく、有線であっても無線であってもよい。
【００４２】
表示制御部１５は、タッチパネル１３を用いて検出した操作者の表示面１１ａに対するタッチ位置を示す位置データ、および入力装置データ受信部１８によって受信した入力装置データを、表示側インターフェース部１７を介して制御装置２に出力させる。また、表示制御部１５は、表示処理部１２を制御し、入力装置３によってタッチ操作された表示面１１ａ上の位置を示す編集画像を表示面１１ａに表示させる。あるいは、入力装置３によってタッチ操作された表示面１１ａ上の位置の軌跡に応じて文字、線、図形などの編集画像を表示面１１ａにおけるタッチ操作に応じた位置に表示させる。
【００４３】
また、表示制御部１５は、表示側インターフェース部１７を介して制御装置２から受信したデータに応じて表示装置１の各部を制御する。たとえば、表示制御部１５は、制御装置２から受信した、画像表示用プログラムを起動させる信号に応じて、画像表示用プログラムを起動させて、該画像表示用プログラムに基づいた基準画像を表示部１１の表示面１１ａに表示させる。
【００４４】
表示制御部１５が表示部１１の表示面１１ａに表示させる基準画像は、図３に示す例では、表示面１１ａの左上部に、複数のメニューアイコンから成るメニューアイコン群１１ｂが配置されている。前記各メニューアイコンに対応するメニューは特に限定されるものではないが、たとえば、入力装置３によって書き込む文字や線の色を変更するためのメニュー、入力装置３によって書き込む文字や線の太さを変更するためのメニュー、書き込まれている文字や線を入力装置３によるタッチ操作よって消去するためのメニュー（消しゴム機能）、表示画像を変倍（拡大あるいは縮小）させるためのメニュー、入力装置３によって表示面１１ａ上のオブジェクトあるいは範囲を指定する処理を行うためのメニュー、直前に行った操作を元に戻す（やり直す）ためのメニュー、所定のフォルダを開くためのメニューなどが挙げられる。以下では、前記メニューアイコン群１１ｂを構成する各メニューアイコンのうち、文字や線などを描画するためのアイコンを描画アイコンと言う。
【００４５】
操作者は、入力装置３の先端部で所望するメニューに対応するメニューアイコンをタッチ操作することにより、当該メニューに応じた処理を指示することができる。また、操作者は、表示面１１ａにおけるメニューアイコン群１１ｂ以外の領域に入力装置３の先端部を接触させることにより、文字や線、図形などを描画することができる。
【００４６】
また、タッチパネル１３は、操作者による操作によって、電源部１４による表示部１１を含む表示装置１および制御装置２への電力の供給状態を、給電状態から、第１非給電状態または第２非給電状態に切換える指示が入力される。操作者による、給電状態から第１非給電状態または第２非給電状態に切換える指示は、表示システム１００をシステム起動状態からスリープモードに切換えるための指示である。なお、本実施形態では、詳細については後述するが、制御装置２の制御部２１が、表示システム１００をシステム起動状態からシステム終了状態に移行させるシステム終了処理を開始したときに、表示制御部１５を介して表示部１１に第１非給電状態切換指示アイコンおよび第２非給電状態切換指示アイコンを表示させる。操作者は、タッチパネル１３における、第１非給電状態切換指示アイコンまたは第２非給電状態切換指示アイコンに対応する位置をタッチ操作することによって、給電状態から第１非給電状態または第２非給電状態に切換える指示を入力することができる。
【００４７】
（第２実施形態）
前述の実施形態では、表示部１１に表示された第１非給電状態切換指示アイコンおよび第２非給電状態切換指示アイコンを、電力供給状態の切換えに用いたが、この構成に限定されるものではなく、第２実施形態では、機械的な電力供給状態切換ＳＷ（スィッチ）を用いてもよい。
【００４８】
なお、本実施形態では、電源ＳＷ１４２は、操作者による操作によって、電源部１４による表示部１１を含む表示装置１および制御装置２への電力の供給状態を、前記第１非給電状態または前記第２非給電状態から給電状態に切換える指示が入力される。操作者による、第１非給電状態または第２非給電状態から給電状態に切換える指示は、表示システム１００をスリープモードから復帰させてシステム起動状態に切換えるための指示である。
【００４９】
入力装置３は、いわゆるタッチペンであり、入力装置処理部３１およびデータ送信部３２を含む。入力装置処理部３１は、演算部、制御プログラムを記憶するメモリ、および演算に伴う一時的なデータを記憶するメモリなどを備えており、操作者の入力装置３に対する操作内容（たとえば、色切換操作など）に応じた信号である入力装置データを、データ送信部３２を介して表示装置１に送信させる。
【００５０】
制御装置２は、制御部２１と、記憶装置２２と、制御側インターフェース部２３とを含む。
【００５１】
制御部２１は、表示装置１の表示制御部１５を制御する。制御部２１は、たとえば、中央演算処理装置（ＣＰＵ：Central Processing Unit）を備えるマイクロコンピュータ、マイクロプロセッサなどによって実現される処理回路である。
【００５２】
記憶装置２２は、第１記憶部２２１と、第２記憶部２２２と、第３記憶部２２３とを含む。第１記憶部２２１は、フラッシュメモリなどの不揮発性の半導体メモリによって実現され、表示システム１００の基本的な機能を実現するオペレーティングシステム（ＯＳ：Operating System）プログラムが記憶されるとともに、種々のアプリケーションプログラムが記憶される。ＯＳプログラムと種々のアプリケーションプログラムとを含めて、画像表示用プログラムと言う。
【００５３】
第２記憶部２２２は、ハードディスクドライブ（ＨＤＤ：Hard Disk Drive）などの不揮発性のメモリによって実現され、表示部１１の表示面１１ａに表示されている編集画像および作業データを記憶可能に構成される。
【００５４】
第３記憶部２２３は、ＲＡＭ（Random Access Memory）などの揮発性のメモリによって実現され、制御部２１によって表示システム１００がシステム起動状態からスリープモードに移行されるときに、表示システム１００において起動中の画像表示用プログラムおよび作業データが記憶される。また、第３記憶部２２３は、制御部２１によって表示システム１００がシステム起動状態からスリープモードに移行されるときに、表示部１１に表示される第１非給電状態切換指示アイコンに対応するタッチパネル１３の位置にタッチ操作がなされたことを示す第１非給電状態切換指示データ、第２非給電状態切換指示アイコンに対応するタッチパネル１３の位置にタッチ操作がなされたことを示す第２非給電状態切換指示データが記憶される。
【００５５】
また、制御部２１は、電源部１４による表示部１１を含む表示装置１および制御装置２への電力の供給状態を、給電状態から第１非給電状態に切換える指示が、表示部１１に表示される第１非給電状態切換指示アイコンに対応するタッチパネル１３の位置にタッチ操作がなされることによって入力されると、表示部１１の表示面１１ａに表示されている編集画像および作業データを第２記憶部２２２に記憶させた後、起動中の画像表示用プログラムを終了させて、表示部１１を含む表示装置１および制御装置２への電力の供給状態を第１非給電状態に切換える。
【００５６】
また、制御部２１は、電源部１４による表示部１１を含む表示装置１および制御装置２への電力の供給状態を、給電状態から第２非給電状態に切換える指示が、表示部１１に表示される第２非給電状態切換指示アイコンに対応するタッチパネル１３の位置にタッチ操作がなされることによって入力されると、表示部１１の表示面１１ａに表示されている編集画像および作業データを第２記憶部２２２に記憶させることなく、起動中の画像表示用プログラムを終了させて、表示部１１を含む表示装置１および制御装置２への電力の供給状態を第２非給電状態に切換える。
【００５７】
（第３実施形態）
また、第３実施形態に係る表示システム１００において、制御部２１は、電源部１４による表示部１１を含む表示装置１および制御装置２への電力の供給状態を、第１非給電状態から給電状態に切換える指示が、電源ＳＷ１４２によって入力されると、表示部１１を含む表示装置１および制御装置２への電力の供給状態を給電状態に切換えて、画像表示用プログラムを起動させた後、第２記憶部２２２に記憶されている編集画像および作業データを読み出して、表示部１１に編集画像を表示させる。
【００５８】
また、第３実施形態に係る表示システム１００において、制御部２１は、電源部１４による表示部１１を含む表示装置１および制御装置２への電力の供給状態を、第２非給電状態から給電状態に切換える指示が、電源ＳＷ１４２によって入力されると、表示部１１を含む表示装置１および制御装置２への電力の供給状態を給電状態に切換えて、画像表示用プログラムを起動させて基準画像を表示部１１に表示させる。
【００５９】
制御側インターフェース部２３は、制御装置２に対して通信可能に接続された表示装置１との間で通信を行うためのものである。
【００６０】
（第４実施形態）
なお、前述の実施形態では、表示装置１と制御装置２とが通信可能に接続されている構成について説明したが、この構成に限定されるものではなく、第４実施形態では、表示装置１と制御装置２とが一体的に形成されていてもよい。この場合、表示装置１の表示制御部１５と制御装置２の制御部２１とが共通の処理回路によって形成されていてもよい。
【００６１】
次に、図４Ａ〜図４Ｄ、図５および図６を参照して、表示システム１００の動作を説明する。図４Ａ〜図４Ｄは、本発明の一実施形態に係る表示方法が適用された表示システム１００の動作を示すフローチャートである。図５は、表示部１１の表示面１１ａに表示される非給電状態切換指示アイコンの一例を示す図である。図６は、電源部１４による電力の供給状態が第１非給電状態に切換えられてスリープモードへ移行された後に、給電状態に切換えられた場合における、表示部１１の表示面１１ａに表示される画像の一例を示す図である。
【００６２】
ステップｓ１において制御部２１が、電源ＳＷ１４２が投入（ＯＮ）されたか否かを判定し、表示システム１００の動作が開始される。電源ＳＷ１４２が投入されたと判定されるとステップｓ２に進み、電源ＳＷ１４２が投入されていないと判定されるとステップｓ１を繰り返す。電源ＳＷ１４２が投入されると、表示装置１および制御装置２に電源１４１から電力が供給されて給電状態となる。なお、制御部２１は、電源ＳＷ１４２が投入される前であっても、電源１４１から微弱な電力が供給されており、動作可能である。
【００６３】
ステップｓ２では、制御部２１は、第１記憶部２２１に記憶されている画像表示用プログラムを起動させる。次にステップｓ３では、制御部２１は、表示制御部１５を制御して、画像表示用プログラムに基づく基準画像を表示部１１に表示させる（第１表示制御工程）。
【００６４】
次にステップｓ４では、制御部２１は、表示制御部１５を介してタッチパネル１３に対するタッチ操作が検出されたか否かを判定する。タッチパネル１３に対するタッチ操作が検出された場合にはステップｓ５に進み、タッチパネル１３に対するタッチ操作が検出されない場合にはステップｓ４を繰り返す。
【００６５】
ステップｓ５では、制御部２１は、表示制御部１５を介して、タッチパネル１３に対するタッチ操作が描画アイコンに対するタッチ操作であるか否かを判定する（画像編集内容入力工程）。描画アイコンに対するタッチ操作であると判定された場合にはステップｓ６に進み、描画アイコンに対するタッチ操作ではないと判定された場合にはステップｓ７に進む。
【００６６】
ステップｓ６では、制御部２１は、タッチ操作された描画アイコンに対応した描画処理を表示制御部１５に実行させる。表示システム１００において描画処理が実行されると、画像表示用プログラムに基づく基準画像に、描画された画像が重ねられた編集画像１１ｅが表示部１１に表示される（第２表示制御工程）。また、ステップｓ７では、制御部２１は、タッチパネル１３に対するタッチ操作がシステム終了以外のタッチ操作であるか否かを判定する。システム終了以外のタッチ操作であると判定された場合にはステップｓ８に進み、システム終了以外のタッチ操作ではないと判定された場合にはステップｓ９に進む。
【００６７】
ステップｓ８では、制御部２１は、タッチ操作されたアイコンに対応したタッチ操作対応処理を表示制御部１５に実行させる。また、ステップｓ９では、制御部２１は、表示制御部１５を介して、タッチパネル１３に対するタッチ操作がシステム終了のタッチ操作であるか否かを判定する。システム終了のタッチ操作であると判定された場合にはステップｓ１０に進み、システム終了のタッチ操作ではないと判定された場合にはステップｓ９を繰り返す。
【００６８】
ステップｓ１０では、制御部２１は、システム終了処理を実行する。制御部２１が、表示システム１００をシステム起動状態からシステム終了状態に移行させるシステム終了処理を開始すると、まずステップａ１において、制御部２１は、表示制御部１５を介して表示部１１に第１非給電状態切換指示アイコン１１ｄおよび第２非給電状態切換指示アイコン１１ｃを表示させる。
【００６９】
次にステップａ２では、制御部２１は、表示制御部１５を介してタッチパネル１３に対するタッチ操作が検出されたか否かを判定する。タッチパネル１３に対するタッチ操作が検出された場合にはステップａ３に進み、タッチパネル１３に対するタッチ操作が検出されない場合にはステップａ２を繰り返す。
【００７０】
ステップａ３では、制御部２１は、表示制御部１５を介して、タッチパネル１３に対するタッチ操作が第２非給電状態切換指示アイコン１１ｃに対するタッチ操作であるか否かを判定する（第１切換指示入力工程）。第２非給電状態切換指示アイコン１１ｃに対するタッチ操作であると判定された場合にはステップａ４に進み、第２非給電状態切換指示アイコン１１ｃに対するタッチ操作ではないと判定された場合にはステップａ５に進む。
【００７１】
ステップａ４では、制御部２１は、電源部１４による電力の供給状態を、給電状態から第２非給電状態に切換える切換処理を実行する（制御工程）。この切換処理については後述する。また、ステップａ５では、制御部２１は、表示制御部１５を介して、タッチパネル１３に対するタッチ操作が第１非給電状態切換指示アイコン１１ｄに対するタッチ操作であるか否かを判定する（第１切換指示入力工程）。第１非給電状態切換指示アイコン１１ｄに対するタッチ操作であると判定された場合にはステップａ６に進み、第１非給電状態切換指示アイコン１１ｄに対するタッチ操作ではないと判定された場合にはステップａ７に進む。
【００７２】
ステップａ６では、制御部２１は、電源部１４による電力の供給状態を、給電状態から第１非給電状態に切換える切換処理を実行する（制御工程）。この切換処理については後述する。また、ステップａ７では、制御部２１は、表示制御部１５を介して、タッチパネル１３に対するタッチ操作がシステム終了処理を解除するタッチ操作であるか否かを判定する。システム終了処理を解除するタッチ操作であると判定された場合には前述のステップｓ４に戻り、システム終了処理を解除するタッチ操作ではないと判定された場合にはステップａ２に戻る。
【００７３】
ステップａ４において制御部２１が、第２非給電状態への切換処理を開始すると、まずステップｂ１において、制御部２１は、表示部１１に表示される第２非給電状態切換指示アイコン１１ｃに対応するタッチパネル１３の位置にタッチ操作がなされたことを示す第２非給電状態切換指示データを第３記憶部２２３に記憶させる。
【００７４】
次にステップｂ２では、制御部２１は、表示部１１の表示面１１ａに表示されている編集画像および作業データを第２記憶部２２２に記憶させることなく、制御装置２の電源部から制御装置２への電力の供給状態を給電状態から非給電状態に切換えた後、再度、給電状態に切換える（いわゆる制御装置２の再起動を行う）。
【００７５】
次にステップｂ３では、制御部２１は、画像表示用プログラムを起動させる。次にステップｂ４では、制御部２１は、起動中の画像表示用プログラムを第３記憶部２２３に記憶させて該画像表示用プログラムを終了させ、表示部１１を含む表示装置１および制御装置２への電力の供給状態を第２非給電状態に切換える。これによって、表示システム１００は、システム起動状態からスリープモードに移行する。
【００７６】
このようにして、第２非給電状態への切換処理が終了した後、電源部１４による表示部１１を含む表示装置１および制御装置２への電力の供給状態を、第２非給電状態から給電状態に切換える指示が、電源ＳＷ１４２によって入力されると、制御部２１は、表示部１１を含む表示装置１および制御装置２への電力の供給状態を給電状態に切換えて、ＲＡＭから成る第３記憶部２２３に記憶されている画像表示用プログラムを起動させて、図３に示す基準画像を表示部１１に表示させる。
【００７７】
ステップａ６において制御部２１が、第１非給電状態への切換処理を開始すると、まずステップｃ１において、制御部２１は、表示部１１に表示される第１非給電状態切換指示アイコン１１ｄに対応するタッチパネル１３の位置にタッチ操作がなされたことを示す第１非給電状態切換指示データを第３記憶部２２３に記憶させる。
【００７８】
次にステップｃ２では、制御部２１は、表示部１１の表示面１１ａに表示されている編集画像および作業データを第２記憶部２２２に記憶させる。
【００７９】
次にステップｃ３では、制御部２１は、制御装置２の電源部から制御装置２への電力の供給状態を給電状態から非給電状態に切換えた後、再度、給電状態に切換える（いわゆる制御装置２の再起動を行う）。
【００８０】
次にステップｃ４では、制御部２１は、画像表示用プログラムを起動させる。次にステップｃ５では、制御部２１は、第２記憶部２２２に記憶されている編集画像および作業データを読み出す。
【００８１】
次にステップｃ６では、制御部２１は、起動中の画像表示用プログラム、第２記憶部２２２から読み出した編集画像および作業データを第３記憶部２２３に記憶させて該画像表示用プログラムを終了させ、表示部１１を含む表示装置１および制御装置２への電力の供給状態を第１非給電状態に切換える。これによって、表示システム１００は、システム起動状態からスリープモードに移行する。
【００８２】
このようにして、第１非給電状態への切換処理が終了した後、電源部１４による表示部１１を含む表示装置１および制御装置２への電力の供給状態を、第１非給電状態から給電状態に切換える指示が、電源ＳＷ１４２によって入力されると、制御部２１は、表示部１１を含む表示装置１および制御装置２への電力の供給状態を給電状態に切換えて、ＲＡＭから成る第３記憶部２２３に記憶されている画像表示用プログラムを起動させ、かつ、編集画像および作業データを読み出して、図６に示す編集画像１１ｅを表示部１１に表示させる。
【００８３】
上記のように構成される本実施形態に係る表示システム１００、および該表示システム１００によって実行される本実施形態に係る表示方法では、操作者は、電源部１４による表示部１１を含む表示装置１および制御装置２への電力の供給状態を給電状態から非給電状態に切換えるときに、第１非給電状態および第２非給電状態の２つの非給電状態を選択することができる。表示システム１００、および該表示システム１００によって実行される表示方法では、操作者によって第１非給電状態に切換える指示が入力されたときに、制御部２１が、編集画像を第２記憶部２２２に記憶させた後に画像表示用プログラムを終了させるので、たとえば、表示システム１００を用いた会議を一時中断するときなどに便利である。すなわち、表示システム１００を用いた会議を再開するときには、第２記憶部２２２に記憶されている編集画像を読み出して表示部１１に表示させることができるので、再開後の会議をスムーズに進行することができる。
【００８４】
また、表示システム１００、および該表示システム１００によって実行される表示方法では、操作者によって第２非給電状態に切換える指示が入力されたときに、制御部２１が、編集画像を第２記憶部２２２に記憶させることなく、画像表示用プログラムを終了させるので、たとえば、表示システム１００を用いた会議を終了するときなどに便利である。すなわち、表示システム１００を用いた会議の終了後に、他の操作者が表示システム１００を起動させた場合であっても、第２記憶部２２２には編集画像が記憶されていないので、前回会議において表示部１１に表示されていた編集画像が、他の操作者によるシステム起動時の表示部１１に表示されることを防止することができる。これによって、編集画像に基づく情報を他の操作者に知られることを防止することができ、セキュリティの確保が可能となる。
【００８５】
また、本実施形態の表示システム１００、および該表示システム１００によって実行される表示方法では、第１非給電状態への切換処理、および第２非給電状態への切換処理において、制御装置２の再起動を行った後に、表示部１１を含む表示装置１および制御装置２への電力の供給状態を第１非給電状態または第２非給電状態に切換える。このように、制御装置２の再起動を行った後に、スリープモードに移行されることによって、連続的にメモリが使用されることによるメモリリークを抑制することができる。なお、メモリリークとは、表示システム１００の動作中に、使用可能なメモリ容量が減少していく現象である。
【符号の説明】
【００８６】
１  表示装置
２  制御装置
３  入力装置
１１  表示部
１２  表示処理部
１３  タッチパネル
１４  電源部
１５  表示制御部
２１  制御部
２２  記憶装置
１００  表示システム
【図１】
2015201120.tif 000003
【図２】
2015201120.tif 000004
【図４Ａ】
2015201120.tif 000005
【図４Ｂ】
2015201120.tif 000006
【図４Ｃ】
2015201120.tif 000007
【図４Ｄ】
2015201120.tif 000008
【図３】
2015201120.tif 000009
【図５】
2015201120.tif 000010
【図６】
2015201120.tif 000011